(57)【特許請求の範囲】
【請求項１】
電気泳動分散液を含む電気泳動分散液層と、前記電気泳動分散液層の電気分極保持用の容量素子と、前記容量素子に電荷を蓄積する有機トランジスタと、を有する画素を複数個含む表示領域と、前記有機トランジスタの駆動を制御するドライバ領域と、ループコイル及びこのループコイルの中心部を貫通する貫通孔とが可撓性を有する基板に形成されてなり、前記貫通孔に与える磁気を介して前記ドライバ領域に与える外部信号が入力される電子ペーパと、
前記電子ペーパに設けられている前記貫通孔を貫通し、その中間部分において分割することによって開閉自在に構成され、前記貫通孔を前記棒状磁性体が貫通した状態において前記棒状磁性体を閉じて前記電子ペーパを装着している時に磁気の閉ループを形成する棒状磁性体と、
前記棒状磁性体に巻回された制御用コイルとを含み、
前記制御用コイルによって発生させる磁気を前記貫通孔に与えることにより、前記外部信号を前記電子ペーパに入力するようにしたことを特徴とする電子ブック。
【請求項２】
前記電気泳動分散液層は、前記電気泳動分散液が封入されたカプセルが複数配置されることによって形成されたことを特徴とする請求項１記載の電子ブック。
【請求項３】
前記制御用コイルと前記ループコイルとの間で磁気を介して前記外部信号の送受信を行うことを特徴とする請求項１又は２記載の電子ブック。
【請求項４】
請求項１〜３のいずれか１項に記載の電子ブックに用いる電子ペーパを製造する方法であって、前記可撓性を有する基板上に前記有機トランジスタによるトランジスタアレイを形成するステップと、形成されたトランジスタアレイ以外の領域に額縁状に隔壁を形成するステップと、前記額縁の内部に前記電気泳動分散液層を形成するステップとを含むことを特徴とする電子ペーパの製造方法。
【請求項５】
前記有機トランジスタ領域以外の領域に、他の基板上に薄膜として形成した後、剥離して形成された前記ドライバ領域を貼付するステップを更に含み、前記有機トランジスタ領域と前記ドライバ領域とを電気的に接続した後に前記額縁状に隔壁を形成することを特徴とする請求項４記載の電子ペーパの製造方法。
【発明の詳細な説明】
【０００１】
【発明の属する技術分野】
本発明は電気泳動装置、これを用いた電子ペーパ、電子ペーパを用いた電子ブック、及び、その製造方法に関し、特に所望の情報を表示するための電気泳動装置、これを用いた電子ペーパ、電子ペーパを用いた電子ブック、及び、その製造方法に関する。
【０００２】
【従来の技術】
パーソナルコンピュータから出力される情報を表示する場合、ＣＲＴ（Cathode Ray Tube）や液晶ディスプレイ等の表示装置を用いるのが一般的である。また、それらの表示装置に表示されている情報をプリンタ等で印刷する場合もある。
【０００３】
【発明が解決しようとする課題】
しかしながら、特にモバイルコンピュータを外出先等において使用している場合、印刷できる環境にない。そして、外出先にプリンタがない場合は、印刷する手段がなく、大変不便である。
ところで、特開平５−２６５９６１号公報に記載されているような、液晶表示装置を利用したいわゆる電子ブック等も知られている。しかしながら、それらは表示内容を書換えることはできるが、厚みが大きく、重量があるので、持ち運びに不便である。もちろん電子ペーパや電子ブックとして利用するには、表示状態あるいは記録が長時間保持される必要があり、しかも柔軟性に優れていることも重要である。
【０００４】
本発明は上述した従来技術の欠点を解決するためになされたものであり、その目的は外出先においても印刷でき、かつ、持ち運びにも便利な、電子ペーパを用いた電子ブック、及び、それに用いる電子ペーパの製造方法を提供することである。
【０００５】
【課題を解決するための手段】
本発明の請求項１による電子ブックは、
電気泳動分散液を含む電気泳動分散液層と、前記電気泳動分散液層の電気分極保持用の容量素子と、前記容量素子に電荷を蓄積する有機トランジスタと、を有する画素を複数個含む表示領域と、前記有機トランジスタの駆動を制御するドライバ領域と、ループコイル及びこのループコイルの中心部を貫通する貫通孔とが可撓性を有する基板に形成されてなり、前記貫通孔に与える磁気を介して前記ドライバ領域に与える外部信号が入力される電子ペーパと、
前記電子ペーパに設けられている前記貫通孔を貫通し、その中間部分において分割することによって開閉自在に構成され、前記貫通孔を前記棒状磁性体が貫通した状態において前記棒状磁性体を閉じて前記電子ペーパを装着している時に磁気の閉ループを形成する棒状磁性体と、
前記棒状磁性体に巻回された制御用コイルとを含み、
前記制御用コイルによって発生させる磁気を前記貫通孔に与えることにより、前記外部信号を前記電子ペーパに入力するようにしたことを特徴とする。
閉ループを構成することにより、非接触式でありながら信号を確実に電子ペーパに送信できる。なお、上記電子ペーパは、外出先においても印刷でき、かつ、持ち運びにも便利である。上記電子ペーパは、可撓性基板に電気泳動分散液による表示領域を形成することにより、可撓性を有する。ここで有機トランジスタとは少なくとも能動層が有機材料でなっているものとする。
ドライバ領域を電子ペーパに設けることにより、外部にドライバ回路を設ける必要がない。カプセルに封入された電気泳動分散液を用いることにより、分散液の塗布が容易になる。非接触式で送信を行うため、露出した端子部を必要とせず、電子ペーパの信頼性、耐久性を向上させることができる。そして、表示内容に関する信号を、バインダに綴られている電子ペーパに、非接触式で送信できる。
【０００７】
本発明の請求項２による電子ブックは、請求項１において、前記電気泳動分散液層が、前記電気泳動分散液が封入されたカプセルが複数配置されることによって形成されたことを特徴とする。カプセルに封入された電気泳動分散液を用いることにより、分散液の塗布が容易になる。
【００１３】
本発明の請求項３による電子ブックは、請求項１又は２において、前記制御用コイルと前記ループコイルとの間で磁気を介して前記外部信号の送受信を行うことを特徴とする。コイル同士間で磁気を介して信号送受信を行うことにより、非接触式でありながら信号を確実に電子ペーパに送信できる。
【００１４】
本発明の請求項４による電子ペーパの製造方法は、請求項１〜３のいずれか１項に記載の電子ブックに用いる電子ペーパを製造する方法であって、前記可撓性を有する基板上に前記有機トランジスタによるトランジスタアレイを形成するステップと、形成されたトランジスタアレイ以外の領域に額縁状に隔壁を形成するステップと、前記額縁の内部に前記電気泳動分散液層を形成するステップとを含むことを特徴とする。このような製造方法を採用することにより、電子ペーパを容易に製造することができる。
【００１５】
さらに、本発明の請求項５による電子ペーパの製造方法は、請求項４に記載の製造方法において、前記有機トランジスタ領域以外の領域に、他の基板上に薄膜として形成した後、剥離して形成された前記ドライバ領域を貼付するステップを更に含み、前記有機トランジスタ領域と前記ドライバ領域とを電気的に接続した後に前記額縁状に隔壁を形成することを特徴とする。このような方法でドライバ領域を形成することにより、表示領域の周囲に容易にドライバ領域を配置することができる。
【００１７】
【発明の実施の形態】
次に、図面を参照して本発明の実施の形態について説明する。なお、以下の説明において参照する各図では、他の図と同等部分は同一符号によって示されている。
図１は本発明による電子ペーパの実施の一形態を示すブロック図である。同図に示されているように、本実施形態による電子ペーパ１は、電気泳動分散液と有機トランジスタが配列されてなる有機ＴＦＴ（ｔｈｉｎ  ｆｉｌｍ  ｔｒａｎｓｉｓｔｏｒ）とを含む表示領域１００を含み、その周囲にＴＦＴによるスキャンドライバ領域１３及びＴＦＴによるデータドライバ領域１４を設けた構成である。スキャンドライバ領域１３は、表示領域１００の画素を選択するためのスキャン信号を与える領域である。データドライバ領域１４は、表示領域１００の画素によって表示すべきデータに対応するデータ信号を与える領域である。スキャンドライバ領域１３及びデータドライバ領域１４と同等の機能を有するドライバ回路を電子ペーパ１の外部に設ければ、スキャンドライバ領域１３及びデータドライバ領域１４を省略した電気泳動装置を実現できる。同図に示されているように、ドライバ領域を電子ペーパ１に設ければ、外部にドライバ回路を設ける必要がなくなる。
【００１８】
表示領域１００は、所望の表示を行うための複数の画素からなる。各画素は、電気泳動分散液１０と、その電気分極状態を保持するための容量素子１１と、スイッチング動作を行って容量素子１１に電荷を蓄積するための有機トランジスタ１２とを含んで構成されている。
また、同図において、表示領域１００には、スキャンドライバ領域１３から各有機トランジスタ１２のゲートに対してスキャン信号を与えるためのスキャンライン１３０と、データドライバ領域１４から各有機トランジスタ１２のソースに対してデータ信号を与えるためのデータライン１４０と、容量素子１１の一方の電極にグランドレベルを与えるためのグランドライン１２０とを含んで構成されている。ここで、容量素子１１は容量ＣSを有するものとする。また、電気泳動分散液１０は、図中では等価的に容量ＣEとして表現されている。
【００１９】
表示領域１００の等価回路が図２に示されている。同図を参照すると、図１中のグランドライン１２０によって容量素子１１の一方の電極にグランドレベルが与えられている。容量素子１１の他方の電極には、トランジスタ１２のドレインと、電気泳動分散液１０の容量ＣEを構成する一方の電極１０ｂとが接続されている。電気泳動分散液１０の容量ＣEを構成する他方の電極１０ａには、所定のレベルの電圧が印加される。後述するように、電気泳動分散液１０に印加する電圧の向きを変えることによって、電気泳動分散液１０による２種類の分極状態を実現し、所望の表示を行うのである。
【００２０】
なお、有機トランジスタの作製は、液相プロセスで行うことができるが、インクジェット法を用いることが好ましい場合がある。
かかる構成において、表示領域１００中の各有機トランジスタ１２のうち、スキャンライン１３０によってスキャン信号がゲートに与えられたトランジスタがオン状態になる。そして、このオン状態になっているトランジスタにおいて、データライン１４０によって与えられたデータ信号により、トランジスタを介して容量素子１１に電荷が蓄積される。このとき、同時に電気泳動分散液１０が電気分極状態に移行する。その後トランジスタがオフ状態になっても、容量素子１１に蓄積された電荷によって電気泳動分散液１０の電気分極状態が保たれる。この場合、データ信号によって与える信号レベルに応じて、電極１０ａ側及び電極１０ｂ側のいずれか一方に電気泳動分散液１０の特定色素成分が集まるように電気分極状態が保たれる。したがって、与えるデータ信号の内容に対応するデータが表示領域１００によって表示されることになる。
【００２１】
ここで、スキャン信号を出力するドライバ領域１３及びデータ信号を出力するドライバ領域１４には、外部から電力やデータを与える必要がある。その場合、図３に示されているように電気的に接触する外部端子を介して表示領域１００に信号を与えるスキャンドライバ領域１３及びデータドライバ領域１４に電力等を供給するようにしても良いし、図４に示されているように非接触式の外部端子を介して非接触で電力等を供給しても良い。
【００２２】
図３の場合においては、外部信号線１３ａ、１４ａの一端をスキャンドライバ領域１３、データドライバ領域１４に接続し、他端を電子ペーパ表面に設けられた外部端子（図示せず）に接続しておき、その外部端子と電気的に接触する外部回路によって電力等を供給すれば良い。
また、図４の場合においては、非接触端子等を含む集積回路１５０を電子ペーパ表面に設けておき、この集積回路１５０に、外部から非接触で電力等を供給すれば良い。例えば、特開２０００−２４２７３９号公報に開示されているような非接触ＩＣカードシステムにおけるデータ通信および電力供給の手法を適用できる。
【００２３】
図５には、表示領域１００部分の一画素分の断面構造が示されている。同図に示されているように、電子ペーパの表示領域部分は、基板４３と、この基板４３上に形成された有機トランジスタ１２と、ＩＴＯ（ｉｎｄｉｕｍ  ｔｉｎ  ｏｘｉｄｅ）による電極３６と、有機トランジスタ１２と電極３６とを接続するＶＩＡホール３７と、これらの上に形成された樹脂層３５と、電気泳動分散液層３３と、その上に形成されたＩＴＯによる電極３２と、ＰＥＴフィルム３１とを含んで構成されている。なお、樹脂層３５の材料を適宜選択することにより樹脂層３５を容量素子として用いることができる。樹脂層３５が容量素子としての機能を有していない場合は、電気泳動分散液層３３に対して電気的に並列あるいは直列に接続される位置に容量素子を設けることもできる。
【００２４】
電気泳動分散液層３３は、電気泳動分散液が封入されたマイクロカプセル３３ａが多数配置されている。カプセルに封入された電気泳動分散液を用いることにより、分散液の塗布が容易になる。このマイクロカプセル３３ａ内には、液相分散媒と、この液相分散媒内に分散されている電気泳動粒子とが封入されているのが好ましい。そして、液相分散媒と電気泳動粒子とは、互いに異なる着色がなされているのが好ましい。
【００２５】
マイクロカプセル３３ａ内の電気泳動分散液は、電圧の印加方向に応じて２種類の電気分極状態になる。このことについて図６を参照して説明する。図６においては、マイクロカプセル１個分についての電気分極状態が模式的に示されている。同図（ａ）においては、電極３４と透明電極３２との間にマイクロカプセル３３ａ内の電気泳動分散液５０が存在している。電気泳動分散液５０は、液相分散媒６と、この液相分散媒６内に分散されている電気泳動粒子５とから構成されている。液相分散媒６と電気泳動粒子５とは、互いに異なる着色がなされているものとする。
【００２６】
そして、互いに逆方向の電圧を印加するための電圧源９ａ及び９ｂを、スイッチ８を介して接続しておく。つまり、電極３２は電圧源９ａ及び９ｂの一端に接続され、電極３４はスイッチ８を介して電圧源９ａ及び９ｂの他端に接続されている。このような接続をしておけば、スイッチ８の切換えによって印加する電圧の方向を変えることができる。印加する電圧の方向を変えることにより、電気泳動分散液を分極させて所望の表示を行うことができる。すなわち、同図（ｂ）に示されているように、電圧源９ａによる電圧を印加することによって観測者に近い透明電極３２側に電気泳動粒子５を集めることができる。この状態において、観測者は電気泳動粒子５の色を見ることになる。一方、同図（ｃ）に示されているように、電圧源９ｂによる電圧を印加することによって観測者から遠い電極３４側に電気泳動粒子５を集めることができる。この状態において、観測者は液相分散媒６の色を見ることになる。
【００２７】
このように、マイクロカプセル内の電気泳動分散液５０を電気分極させることによって、電圧を印加する方向に対応する２種類の色を表示することができるので、同図に示されている構成を全画素に配置すれば、電気泳動表示技術を採用した電子ペーパを実現できるのである。
図５に戻り、有機トランジスタ１２は、ゲート４２と、絶縁膜４１と、ソース３９及びドレイン４０と、半導体層３８とを含んで構成されている。
【００２８】
ここで、有機トランジスタの断面構造について図７を参照して説明する。
同図に示されているように、有機トランジスタは、基板４３の上に形成されたゲート４２と、このゲート４２上に形成されたゲート絶縁膜４１と、ゲート絶縁膜４１及び基板４３上に形成されたソース３９及びドレイン４０と、チャンネル領域を形成するための半導体層３８とを含んで構成されている。
【００２９】
かかる構成において、基板４３にはＰＥＴ（ｐｏｌｙｅｔｈｙｌｅｎｅ  ｔｅｒｅｐｈｔｈａｌａｔｅ）か、液晶ディスプレイ用のホウ素ケイ酸ガラス（例えば、コーニング社の７０５９ガラス）を用いる。ガラス基板を用いる場合には、有機シラン（ＯＳＴ：ｏｃｔａｄｅｃｙｌｔｒｉｃｈｌｏｒｏｓｉｌａｎｅ）２％をヘキサデカン液に溶かした溶液中に侵漬して、乾燥させる。ＰＥＴ基板を用いる場合には、真空及び減圧中でＯＳＴの蒸気にさらす。
【００３０】
半導体層３８は、ペンタセンを真空熱蒸着、基板温度６０℃、デポレート０．５Å／ｓｅｃにより、作成する。ペンタセンは予め熱勾配真空昇華法で純度を高めておく。低い基板温度、低蒸着レートにより、高純度にすることで高移動度を実現できる。
半導体層３８は、例えば、ペンタセンを用いて形成する。ゲート４２は、例えば材質にニッケルを用い、イオンビームスパッタ法によって作成する。フォトリソグラフィ法によって作成しても良い。
【００３１】
ゲート絶縁膜４１は、酸化シリコン（ＳｉＯ2）を用い、応力を低減するため、基板温度を８０℃とする。フォトリソグラフィ法によって作成しても良い。ソース３９及びドレイン４０は、材質にパラジウムを用い、イオンビームスパッタ法によって作成する。フォトリソグラフィ法によって作成しても良い。移動度を高めるために、ゲート絶縁膜４１に表面処理を施す。
【００３２】
以上のように作成したトランジスタの特性は、以下の通りである。すなわち、ＰＥＴ基板を用いた場合には、ゲート幅／ゲート長＝２４０／４４μｍ、電界効果移動度μｅｆｆ＝１．１ｃｍ2／Ｖｓ、Ｖｔｈ＝２Ｖである。また、ガラス基板を用いた場合には、ゲート幅/ゲート長＝５００／５μｍ、電界効果移動度μｅｆｆ＝１．７ｃｍ2／Ｖｓ、Ｖｔｈ＝１０Ｖ、Ｓ値は０．９Ｖ／ｄｅｃａｄｅ、Ｏｎ／Ｏｆｆ比  １０3、電流値２．５μＡ／ｍｉｃｒｏｎ  ｇａｔｅ  ｗｉｄｔｈである。
【００３３】
なお、有機トランジスタについては、Ｄａｖｉｄ  Ｊ．Ｇｕｎｄｌａｃｈらによる文献「Ｈｉｇｈ−Ｍｏｂｉｌｉｔｙ，Ｌｏｗ  Ｖｏｌｔａｇｅ  Ｏｒｇａｎｉｃ  Ｔｈｉｎ  Ｆｉｌｍ  Ｔｒａｎｓｉｓｔｏｒｓ」ＩＥＤＭ９９−１１１  １９９９ＩＥＥＥに記載されている。
次に、上記の表示領域を有する電子ペーパの製造プロセスについて図８（ａ）〜（ｇ）を参照して説明する。同図（ａ）に示されているように、最初に基板４３に上述した有機トランジスタによって構成される有機ＴＦＴアレイ４００を形成する。図中の電極４０１は有機ＴＦＴアレイ４００の電極である。次に、同図（ｂ）に示されているように、有機ＴＦＴアレイ４００と同じ層になるようにＳＵＦＴＬＡ−ＴＦＴ４０３を転写する。そして、同図（ｃ）に示されているように、有機ＴＦＴアレイ４００の電極４０１とＳＵＦＴＬＡ−ＴＦＴ４０３の電極４０２との間を配線４０４で接続する。この配線４０４は、インクジェット法又はフォトリソグラフィ法によって形成する。
【００３４】
ここで、「ＳＵＦＴＬＡ」とは、基板上に形成した薄膜を、レーザ照射等で剥離させ、この剥離させた薄膜を他の基板表面に貼付する技術をいう。この技術を採用することにより、表示領域の周囲に容易にドライバ領域を配置することができる。「ＳＵＦＴＬＡ−ＴＦＴ」とは、「ＳＵＦＴＬＡ」を利用して製造した薄膜トランジスタをいう。この「ＳＵＦＴＬＡ」は、Ｓ．Ｕｔｓｕｎｏｍｉｙａ文献「Ｌｏｗ  Ｔｅｍｐｅｒａｔｕｒｅ  Ｐｏｌｙ−Ｓｉ  ＴＦＴｓ  ｏｎ  Ｐｌａｓｔｉｃ  Ｓｕｂｓｔｒａｔｅ  Ｕｓｉｎｇ  Ｓｕｒｆａｃｅ  Ｆｒｅｅ  Ｔｅｃｈｎｏｌｏｇｙ  ｂｙ  Ｌａｓｅｒ  Ａｂｌａｔｉｏｎ／Ａｎｎｅａｌｉｎｇ」ＳＩＤ  ００  ＤＩＧＥＳＴに記載されている。なお、上記の「ＳＵＦＴＬＡ」は商標である。
【００３５】
同図（ｄ）に示されているように、パッシベーション層４０５を形成する。このパッシベーション層４０５には、酸化シリコン（ＳｉＯ2）又はポリイミド等の有機絶縁体を用いる。この後、同図（ｅ）に示されているように、樹脂層４０６を額縁状に塗布して隔壁を形成する。さらに、同図（ｆ）に示されているように、樹脂層４０６による額縁の内部に電気泳動分散液４０７を塗布する。最後に、同図（ｇ）に示されているように、ＩＴＯシート４０８をラミネートする。
【００３６】
以上の製造プロセスを経ることにより、図１に示されている平面構造の電子ペーパが得られる。以上の製造プロセスにおいては、有機トランジスタ等を用いているので、真空チャンバ等の特別な装置を用いることなく、インクジェット法等を用いて電子ペーパを製造することができる。真空チャンバ等の特別な装置を用いないので、製造コストを抑えることができ、安価に電子ペーパを製造することができる。
【００３７】
以上のように製造された電子ペーパ全体の厚みは約０．１〜０．２ｍｍ程度で、電気泳動分散液層の厚みは約３０〜５０μｍである。
したがって、電子ペーパは、紙のように扱うことができると共に、プリンタ等を用いることなく印刷内容（表示内容）を複数回書換えることができる。モバイルコンピュータ等においては、上述した外部端子や集積回路１５０に電力等を与えるための端子を用意しておき、その端子に電子ペーパを接続すれば、電子ペーパに表示させるべき内容を自由に書換えることができる。
【００３８】
また、一般のディスプレイであれば１秒間に６０回書換えなければならないが、電子ペーパの場合は非常に少ない頻度（例えば１分間に１回程度）で書換えれば良いので、書換えるために要する時間も短くて済むというメリットがある。本発明の電子ペーパは、表示内容を複数回書換えることができるので、紙の代わりに用いることができ、リサイクル活動を促進することができる。
【００３９】
電子ペーパの表示内容（つまり電気泳動分散液の分極状態）は、上述したように各画素毎に設けられている容量素子に蓄積されている電荷によって保たれる。この容量素子は電気泳動分散液層に対して電気的に並列あるいは直列に接続されるよう配置することができる。容量素子としては誘電体材料を用いることができるが、強誘電体材料が電気泳動分散液層の分極状態を長時間保持するのに効果的である場合がある。
【００４０】
以上のように作成した電子ペーパの使用例が図９に示されている。同図（ａ）に示されているように、電子ペーパ１は複数の外部端子２を有している。これら外部端子２に図示せぬ外部回路を電気的に接触させることによって、表示領域１００に表示させるべき内容に関するデータや必要な電源を供給する。同図（ａ）においては、表示領域１００に「いろはにほへと株式会社」という文字と、四角形や円形等の図形とが表示されている。また、同図（ｂ）に示されているように、電子ペーパ１を２ツ折りの形式にしても良い。同図（ｂ）の場合には、外部端子２に図示せぬ外部回路を電気的に接触させることによって、表示領域１００ａ、１００ｂそれぞれに表示させるべき内容に関するデータや必要な電源を供給する。
【００４１】
さらに本発明の電子ペーパは、電子ブックに適用することが可能である。すなわち、複数枚の電子ペーパ１が、筐体であるバインダで綴じられることにより、バインダ型電子ブックを実現することができる。バインダ型電子ブックの外観が図１０（ａ）に示されている。同図においては、複数枚綴じられた電子ペーパ１が、筐体であるバインダ３に綴じられている。この場合、綴じられた各電子ペーパ１には、貫通孔３０ａ，３０ｂが設けられ、これら貫通孔３０ａ，３０ｂがバインダ３に設けられている棒状磁性体４ａ，４ｂによって貫かれている。棒状磁性体４ａ，４ｂは両端部がバインダ３に取り付けられており、その中間部分が分割できる構造になっていてもよい。この中間部分を分割した状態では、電子ペーパ１がバインダ３から脱着自在となる。つまり、棒状磁性体４ａ，４ｂは、分割されている中間部分において開閉自在とし、電子ペーパ１の装着時に磁気の閉ループを形成するように構成することもできる。
【００４２】
バインダ３は同図（ｂ）に示されているように、棒状磁性体４ａ，４ｂに対応して設けられた制御用コイル３ａ，３ｂと、これら制御用コイル３ａ，３ｂに電流を流すためのアンプ部３ｃと、このアンプ部３ｃを制御するためのＣＰＵ部３ｄとを含んで構成されている。
同図（ｃ）に示されているように、電子ペーパ１は、表示領域１００と、この表示領域１００以外の位置で、かつ、上述した棒状磁性体４ａ，４ｂに対応する位置に設けられた貫通孔３０ａ，３０ｂとを有している。同図（ｄ）には、電子ペーパ１のより詳細な構成が示されている。同図に示されているように、貫通孔３０ａ，３０ｂの周囲にはループコイル３１ａ，３１ｂが内蔵され、これらループコイルの中心部を貫通孔が貫通している。これらループコイル３１ａ，３１ｂにはアンプ部１５０ａが接続されており、ループコイル３１ａ，３１ｂにおいて生じる電流がアンプ部１５０ａに与えられる。アンプ部１５０ａは、表示すべき内容に関するデータ等を非接触データ通信集積回路１５０に与える。集積回路１５０は、スキャンドライバ領域１３及びデータドライバ領域１４を駆動制御する。これにより、表示領域１００に所望のデータを表示させる。
【００４３】
以上のように、本例の電子ペーパ１は、ループコイル３１ａ，３１ｂと、その中心部を貫通する貫通孔３０ａ，３０ｂとからなる非接触端子を有し、この非接触端子を介して信号の送受信および電力の供給を受ける。ループコイル及び貫通孔の個数は、同図に示されている場合では２個であるが、１個又は複数個設けられていれば問題はない。
【００４４】
一方、バインダ３側には、電子ペーパ１の貫通孔３０ａ，３０ｂに対応する棒状磁性体４ａ，４ｂが設けられており、この棒状磁性体４ａ，４ｂによって貫通孔３０ａ，３０ｂを貫通させることにより、閲覧や運搬が可能となる。棒状磁性体４ａ，４ｂには、制御用コイル３ａ，３ｂが巻回されているので、綴じられている各電子ペーパのループコイルと筐体の制御コイルとの間の電磁誘導を用いることにより、筐体から電子ペーパへ磁気を介して、給電および両者間での信号の送受信を行う。このような非接触での給電および信号送受信は、例えば特開平１１−０３９４４０号公報に開示されている手法を適用することができる。送受信する信号に、特定のＩＤコード（識別コード）を含ませることにより、綴じられている複数の電子ペーパの内の所望の電子ペーパだけを選択してその内容を書換えることもできる。
【００４５】
このようなバインダ型電子ブックにおいては、複数の電子ペーパを適宜脱着しながら印刷、閲覧、運搬等を行うことができるという効果がある。また、給電および信号送受信を非接触式で行っているため、電子ペーパおよび電子ブック筐体部には露出した端子部を必要とせず、したがって信頼性、耐久性に優れたバインダ型電子ブックを提供できるという効果がある。
【００４６】
請求項の記載に関し、本発明は更に以下の態様を採り得る。
（１）前記ドライバ領域は、前記画素を選択するためのスキャン信号を与えるスキャンドライバ領域と、前記画素によって表示すべきデータに対応するデータ信号を与えるデータドライバ領域とを含むことを特徴とする請求項３記載の電子ペーパ。
【００４７】
（２）前記ドライバ領域に与える外部信号を入力するための電気接触端子を更に含み、該端子を介して前記外部信号を印加するようにしたことを特徴とする請求項３〜５のいずれかに記載の電子ペーパ。
（３）前記電気分極状態を保持するための強誘電体層を更に含むことを特徴とする請求項２〜７のいずれかに記載の電子ペーパ。
【００４８】
【発明の効果】
以上説明したように本発明は、可撓性基板に電気泳動分散液による表示領域を形成することにより、外出先においても印刷でき、かつ、持ち運びにも便利な電子ペーパを実現できるという効果がある。カプセルに封入された電気泳動分散液を用いることにより、分散液の塗布が容易になるという効果がある。他の基板上に薄膜として形成した後、剥離して可撓性を有する基板の表面に貼付することによってドライバ領域を形成することにより、表示領域の周囲に容易にドライバ領域を配置することができるという効果がある。
【図面の簡単な説明】
【図１】本発明による電子ペーパの平面構成を示す図である。
【図２】図１中の表示領域の構成を示す図である。
【図３】電子ペーパに電力及びデータを与えるための構成の一例を示す図である。
【図４】電子ペーパに電力及びデータを与えるための構成の他の例を示す図である。
【図５】電子ペーパの表示領域の断面構造を示す図である。
【図６】電子ペーパの表示原理を示す図である。
【図７】有機トランジスタの断面構造を示す図である。
【図８】電子ペーパの製造プロセスを示す工程図である。
【図９】電子ペーパの使用例を示す図である。
【図１０】バインダ型電子ブックを示す図である。
【符号の説明】
１  電子ペーパ
２  外部端子
３  バインダ
３ａ，３ｂ  制御用コイル
３ｃ  アンプ部
３ｄ  ＣＰＵ部
４ａ、４ｂ  棒状磁性体
５  電気泳動粒子
６  液相分散媒
８  スイッチ
９ａ、９ｂ  電圧源
１０  電気泳動分散液
１１  容量素子
１２  有機トランジスタ
１３  スキャンドライバ領域
１４  データドライバ領域
３０ａ、３０ｂ  貫通孔
３１ａ、３１ｂ  ループコイル
３１  ＰＥＴフィルム
３２、３６  電極
３３  電気泳動分散液層
３５  樹脂層
３７  ＶＩＡホール
３８  半導体層
３９  ソース
４０  ドレイン
４１  絶縁膜
４２  ゲート
４３  基板
５０  電気泳動分散液
１００  表示領域
１２０  グランドライン
１３０  スキャンライン
１４０  データライン
１５０  非接触データ通信集積回路
１５０ａ  アンプ部
【図１】
0003925080.tif 000002
【図２】
0003925080.tif 000003
【図３】
0003925080.tif 000004
【図４】
0003925080.tif 000005
【図５】
0003925080.tif 000006
【図６】
0003925080.tif 000007
【図７】
0003925080.tif 000008
【図８】
0003925080.tif 000009
【図９】
0003925080.tif 000010
【図１０】
0003925080.tif 000011